(57)【特許請求の範囲】
【請求項１】
擬似基地局に対応した複数の擬似パイロット信号を生成すること、前記擬似基地局は、（１）複数の非物理的基地局、および（２）リピータおよび前記リピータの近傍における無線モバイルデバイスの受信範囲外の物理的基地局よりなるグループ内の少なくとも１つである、ここにおいて、
前記複数の擬似パイロット信号の各擬似パイロット信号は、前記対応した擬似基地局と前記リピータとの間の距離に対応する擬似雑音位相オフセットを含む；
前記擬似パイロット信号を前記リピータの受信範囲内にある物理的基地局からの通信信号と結合し、合成信号を形成すること；および
前記無線モバイルデバイスによる受信のために前記合成信号を前記リピータによって送信すること、
を具備する方法。
【請求項２】
前記擬似基地局へのハンドオフをトリガーすることを回避するために、前記物理的基地局から受信された通信信号に対して前記擬似パイロット信号の相対電力を調節することをさらに具備する請求項１の方法。
【請求項３】
前記擬似基地局に対する前記擬似雑音位相オフセットおよび位置情報を、自動化された位置決定エンティティによりアクセス可能なアルマナックに付加することをさらに具備する請求項１の方法。
【請求項４】
前記擬似パイロット信号は、複数の異なる擬似基地局に対応し、異なる擬似基地局の数は三辺測量のための十分な擬似パイロット信号が生成されるように決定され、かつ前記擬似雑音位相オフセットは、前記モバイルデバイスの位置を決定するための三辺測量プロセスにおいて利用される請求項１の方法。
【請求項５】
前記擬似パイロット信号は、複数の異なる擬似基地局に対応する、そして、前記擬似パイロット信号のうちの１つは、前記モバイルデバイスの位置より上のまたは下の擬似基地局に対応する、前記方法は、前記モバイルデバイスの高さを決定することをさらに具備する請求項１の方法。
【請求項６】
前記擬似パイロット信号は、前記リピータによって生成される請求項１の方法。
【請求項７】
前記擬似パイロット信号は、前記通信信号と結合される請求項１の方法。
【請求項８】
前記合成信号に基づいて測定値のレポートを生成すること；および
前記擬似雑音位相オフセットに基づいて前記無線モバイルデバイスの位置を決定すること、をさらに具備する請求項１の方法。
【請求項９】
前記レポートは、位置決定エンティティにおいて受信され、そして前記無線モバイルデバイスの位置は、前記位置決定エンティティによって決定される請求項８の方法。
【請求項１０】
前記合成信号を、分散アンテナ・システムと関連したアンテナ・ノードに送信すること；
前記合成信号を受信するアンテナ・ノードのうちの１つのアンテナ・ノードを識別するために前記合成信号を修正すること；および
修正された合成信号を前記モバイルデバイスに送信すること、をさらに具備する請求項１の方法。
【請求項１１】
前記無線モバイルデバイスのより特定の位置を前記修正された合成信号に基づいて決定することをさらに具備する請求項１０の方法。
【請求項１２】
建物または他の場内のモバイルデバイスと通信するように構成されたパイロット生成回路を具備しており、
前記パイロット生成回路は、擬似パイロット信号を生成しかつ前記擬似パイロット信号を前記モバイルデバイスに送信するように動作可能であり、ここにおいて、前記擬似パイロット信号は、（１）非物理的基地局、および（２）前記モバイルデバイスの動作近傍の外における物理的基地局よりなるグループ内の少なくとも１つである各擬似基地局に対応し、
各擬似パイロット信号は、前記対応した擬似基地局と前記リピータとの間の距離に対応する擬似雑音位相オフセットを含む、システム。
【請求項１３】
前記擬似基地局のうちの１つの位置は、モバイルデバイスが配置されている建物レベルを三辺測量プロセスが決定できるようにするために前記建物より上または下に定義されることをさらに具備する請求項１２のシステム。
【請求項１４】
前記パイロット生成回路と通信しかつ建物の全体に分散された複数のアンテナ・ノードを含む分散アンテナ・システムをさらに具備し、
前記分散アンテナ・システムは、
前記擬似パイロット信号を受信している複数のアンテナ・ノードの各アンテナ・ノードを識別するために、前記擬似パイロット信号を修正し、
そして修正された擬似パイロット信号を前記アンテナ・ノードから前記モバイルデバイスに送信するように動作可能な修正回路をさらに含む請求項１３のシステム。
【請求項１５】
前記擬似パイロット信号を物理的基地局から受信された信号と結合して合成信号を生成するように動作可能な加算回路をさらに具備する請求項１３のシステム。
【請求項１６】
前記合成信号を前記モバイルデバイスに送信するように結合されたアンテナをさらに具備する請求項１５のシステム。
【請求項１７】
複数の異なる擬似基地局に対応した一連の擬似パイロット信号を生成すること、ここにおいて、
前記一連の擬似パイロット信号の各擬似パイロット信号は、前記複数の異なる擬似基地局の１つの擬似基地局までの距離に対応する擬似雑音位相オフセットを含み、
前記擬似基地局の位置は、前記擬似パイロット信号を受信する無線モバイルデバイスの位置を決定するために三辺測量技法を使用できるように選択され、
前記擬似基地局は、（１）複数の非物理的基地局、および（２）前記モバイルデバイスの受信範囲外の物理的基地局よりなるグループ内の少なくとも１つである；
前記擬似パイロット信号を物理的基地局からの通信信号と結合して一連の合成信号を形成すること、および
前記無線モバイルデバイスへの送信のために前記合成信号を出力すること、
を少なくとも１つのコンピュータに行なわせるように動作可能なコードを備えたコンピュータ読取り可能記憶媒体。
【請求項１８】
前記合成信号を受信している分散アンテナ・システム内のアンテナ・ノードを表示するために前記合成信号を修正すること、および
前記アンテナ・ノードから前記無線モバイルデバイスへの送信のために前記修正された合成信号を出力すること、
をすくなくとも１つのコンピュータに行なわせるように動作可能なコードをさらに具備する請求項１７のコンピュータ読取り可能記憶媒体。
【請求項１９】
モバイルデバイスであって、
プロセッサと；
複数の擬似基地局に対応した一連の信号を受信すること,前記擬似基地局は、（１）複数の非物理的基地局、および（２）前記モバイルデバイスの受信範囲外の物理的基地局よりなるグループ内の少なくとも１つである；
擬似雑音位相オフセットに基づいて前記擬似基地局のアイデンティティおよび位置を決定すること、ここにおいて、
前記一連の信号の各信号は、前記複数の擬似基地局の１つの擬似基地局までの距離に対応する擬似雑音位相オフセットを含む；および
前記擬似基地局の位置に基づいて前記モバイルデバイスの位置を決定すること、を前記プロセッサに行なわせるように動作可能なコードを具備したコンピュータ読取り可能媒体と、を具備するモバイルデバイス。
【請求項２０】
前記複数の基地局および擬似基地局に対する位置および識別子に関する情報のコンピュータ読取り可能アルマナックをさらに具備する請求項１９のモバイルデバイス。
【請求項２１】
地理的近傍における分散アンテナ・システム内のアンテナ・ノードに対応した地理的近傍における前記モバイルデバイスの正確な位置を決定することを前記プロセッサに行なわせるためのコードをさらに具備する請求項１９のモバイルデバイス。
【請求項２２】
第４の擬似基地局に対応した他の擬似雑音位相オフセットに基づいて地理的近傍における前記モバイルデバイスの正確な位置を決定することを前記プロセッサに行なわせるコードをさらに具備する、請求項１９のモバイルデバイス。
【請求項２３】
擬似パイロット信号を生成するための手段と、ここにおいて、各擬似パイロット信号は、対応擬似基地局までの距離に対応する擬似雑音位相オフセットを含む、
前記擬似パイロット信号をモバイルデバイスに送信する手段と、ここにおいて、前記擬似基地局は、（１）非物理的基地局、および（２）前記モバイルデバイスの動作近傍の外における物理的基地局よりなるグループから選択された少なくとも１つである、
を具備する、装置。
【請求項２４】
前記擬似基地局のうちの１つの位置は、前記モバイルデバイスが配置されている建物レベルを三辺測量プロセスが決定できるようにするために、建物より上または下に定義されることをさらに具備する請求項２３の装置。
【請求項２５】
建物の全体に分散された複数のアンテナ・ノードを含み、擬似パイロット信号を生成するための手段と通信するための分散アンテナ手段をさらに具備し、
前記分散アンテナ手段は、
前記擬似パイロット信号を受信する前記複数のアンテナ・ノードの各アンテナ・ノードを識別するために前記擬似パイロット信号を修正するための手段と、
前記修正された擬似パイロット信号を前記複数のアンテナ・ノードの各アンテナ・ノードから前記モバイルデバイスに送信するための手段と、を含む請求項２３の装置。
【請求項２６】
前記擬似パイロット信号を物理的基地局から受信された信号と結合し、合成信号を生成するための手段をさらに具備する請求項２３の装置。
【発明の詳細な説明】
【技術分野】
【０００１】
本開示は、一般的には、リモート・デバイスの位置を決定するための電気通信信号の使用に関する。さらに詳細には、本開示は、複数のパイロット信号を用いてモバイル通信デバイスの位置を決定するためのシステムおよび方法に関する。
【背景技術】
【０００２】
今日では、電気通信信号は一般に、セルラーシステム（cellular systems）を用いて送信される。セルラーシステムは、それぞれセルラー電話、ラップトップ・コンピュータ、あるいは他のそのようなモバイルデバイスのようなモバイルデバイスに信号を送信しかつそのモバイルデバイスから信号を受信するために使用されるセルラー基地局の複数のグループを備えている。モバイルデバイスと基地局との間で種々の音声および／またはデータ信号を送信することに加えて、セルラー・システムは、緊急および非緊急の両方のために、そのようなモバイルデバイスを位置特定するために使用されることが多い。例えば、緊急番号９１１に対する呼出の場合には、呼出者が彼の／彼女の位置を知っていることを要求することなく直ちに呼出者に支援が派遣されうるように、その呼出者の位置を決定することが役に立つことが多い。非緊急の場合には、特に、ロードサイド・アシスタンス（roadside assistance）、進路変更ごとの運転指示（turn-by-turn driving directions）、接客サービス（concierge services）、所在地固有料金（location-specific billing rates）、所在地固有広告（location-specific advertising）のようなサービスを提供するためにモバイルデバイスの位置を決定することが望ましいことが多い。
【０００３】
ＣＤＭＡプロトコルは、種々のチャネルを使用して動作する。順方向ＣＤＭＡチャネルは、ユーザおよびシグナリング・トラヒック、パイロット信号、およびオーバーヘッド情報を基地局からモバイルデバイスに搬送する。パイロットおよびオーバーヘッド信号は、システム・タイミングおよび局アイデンティティを確立する。パイロット・チャネルはまた、モバイル・アシステッド・ハンドオフ（ＭＡＨＯ）プロセスにおいて使用される信号強度基準を提供する。すべての基地局が、同じパイロット波形を有し、そしてパイロット信号の位相だけで互いに識別される。
【０００４】
現在のシステムでは、パイロット位相は複数の６４チップで局に割り当てられ、総計５１２の可能な割り当てを与える。パイロット・オフセット（Pilot Offset）と呼ばれる番号が、パイロット位相割り当てを識別する。異なる基地局は、異なるパイロット擬似雑音（ＰＮ）シーケンス・オフセットによって識別される。
【０００５】
モバイルデバイスの位置を決定するために、種々の技術が用いられている。例えば、全地球測位システム（ＧＰＳ）は、ＧＰＳ受信器を備えたユーザに地球のどこでもそれらの位置を決定する能力を提供する衛星システムである。ＧＰＳ受信器は通常、複数のＧＰＳ衛星から同時に送信された信号の相対到達時間を測定することによって、それの位置を決定する。
【０００６】
他の周知の位置特定技術は、改良型順方向リンク三辺測量（Advanced Forward Link Trilateration）(AFLT)である。AFLT技術は、地上基地局パイロット信号間の到達時間差を測定することに基づいている。ＣＤＭＡ無線ネットワークの場合には、これらの測定は、パイロット位相測定と呼ばれる。そのうちの１つがサービング基地局でありそうな十分な数の異なる基地局位置からの信号をモバイルデバイスが検知できる場合には、そのモバイルデバイスの位置が、ある程度の精度で決定されうる。
【０００７】
特定の位置においては、モバイルデバイスは、少なくとも４つのＧＰＳ衛星からの信号を検知することも、あるいは十分な数の測位衛星または基地局からの信号を検知することもできないことがありうる。これらの位置では、位置決定能力は危うくなる。
【発明の概要】
【０００８】
ここに開示されるシステム、装置、および方法は、（１）複数の仮想の非物理的（non-physical）基地局、および（２）モバイルデバイスの近くにおけるリピータまたはモバイルデバイスによって通信信号が受信されていない物理的基地局の一方または両方に対応するＰＮ位相オフセットを含む擬似パイロット信号を生成する。擬似パイロット信号は、物理的基地局からの通信信号と結合されて、合成信号（composite signals）を形成する。その合成信号は、無線モバイルデバイスによって受信されるために送信され、そしてそのモバイルデバイスの位置を決定するために用いられる。
【０００９】
いくつかの態様では、パイロット生成器回路は、建物や他の場内のモバイルデバイスと通信するように構成される。パイロット生成器回路は、既知のＰＭ位相オフセットを有する１つの組の擬似パイロット信号を生成し、そしてその擬似パイロット信号をモバイルデバイスに送信するように動作可能である。その擬似パイロット信号は、通信信号が受信されていない各非物理的基地局および／または物理的基地局に対応する。
【００１０】
他の態様では、ＰＮ位相オフセットを有する擬似パイロット信号は、通信信号が受信されていない非物理的基地局および／または物理的基地局に対応して生成される。擬似基地局の位置は、擬似パイロット信号を受信する無線モバイルデバイスの位置を決定するために三辺測量技術（trilateration techniques）を使用できるように選択される。その擬似パイロット信号は、物理的基地局からの通信信号と結合されて、一連の合成信号（composite signals）を形成する。その合成信号は、無線モバイルデバイスへの送信のために出力される。
【図面の簡単な説明】
【００１１】
【図１】図１は、開示されたシステムおよび方法の通信ネットワークの簡略ブロック図である。
【図２】図２は、従来の通信システムの図である。
【図３Ａ】図３Ａは、分散アンテナシステムに結合されたリピータを含む通信システムのブロック図である。
【図３Ｂ】図３Ｂは、複数のパイロット生成モジュールに結合されたフェムト無線基地局を含む他の通信システムのブロック図である。
【図３Ｃ】図３Ｃは、複数のパイロット発生器モジュールに結合された基地局を含む他の通信システムのブロック図である。
【図４】図４は、モバイルデバイスの位置を決定するためのプロセスの流れ図を示す。
【図５】図５は、分散アンテナシステムを使用してモバイルデバイスの位置を決定するためのプロセスの流れ図を示す。
【詳細な説明】
【００１２】
開示された方法および装置の性質、目的および利益は、添付図面と関連して下記の詳細な説明を検討した後で当業者にはさらに明白となるであろう。
【００１３】
図１は、リピータ１０４と通信するように構成された１つまたは複数の基地局１０２；建物内のモバイルデバイス１０８と通信するように構成された検索器、パイロット生成器、およびタイミング制御回路（ＳＰＴＣ回路）を有するリピータ１０４、およびモバイルデバイス１０８と通信するように構成された位置決定エンティティ（ＰＤＥ）１１６のような種々のコンポーネントを含む通信ネットワークをブロック図で示す。ここに記述されるシステムおよび方法では、ＳＰＴＣ回路１０６または他の適当なデバイスが、建物１１０または他の場のような特定の地理的近傍において放送される既知の相対ＰＮ位相オフセットを有する１つの組の人工パイロット信号（artificial pilot signals）（「擬似パイロット」（"pseudo pilots"）とも呼ばれる）を生成することができる。図１ではＳＰＴＣ回路１０６はリピータ１０４の一部として示されているが、擬似パイロットを生成する機能は、通信ネットワーク１００内においてスタンドアローン型の装置でまたはリピータ１０４およびＳＰＴＣ回路１０６のほかに他の装置の一部としてインプリメントされうる。
【００１４】
擬似パイロット信号は、各擬似基地局に対応しうる。ここで使用されているように、「擬似基地局」という用語は、（１）非物理的基地局１１２Ａ−１１２Ｅ、または（２）通信信号がリピータ１０４およびモバイルデバイス１０８の受信範囲外にある物理的基地局１１４Ａ−１１４Ｃを指す。擬似パイロット信号は、三辺測量または複数の異なる基地局からのパイロット信号を典型的に必要とする他の位置決定技術を用いて決定されるようにモバイルデバイス１０８が動作している建物１１０または他の場の位置特定を可能にする。このようなシステムおよび方法は、物理的基地局１０２、１１４Ａ−１１４Ｃから、正確な位置測定（position location）を生成するために三辺測量技術を使用するのに十分な数のパイロット信号を受信しないまたは十分な強度を有するパイロット信号を受信しない建物、構造物、または他の場において特に有用である。
【００１５】
図２に示された従来の通信システム２００の図を参照すると、改良型順方向リンク三辺測量（ＡＦＬＴ）と呼ばれる技術が、モバイルデバイスの位置を決定するために使用されうる。ＡＦＬＴ技術は、基地局１０２からの信号間の到達時間差を測定することに基づく。モバイルデバイス１０８の位置は、モバイルデバイス１０８が十分な数の異なる基地局位置からの信号を検知できる場合に決定されうる。モバイルデバイス１０８は、基地局１０２からの異なるパイロット位相ノイズ信号の受信のＣＤＭＡ  ＰＮ位相オフセット時間（ＴＲ１、ＴＲ２およびＴＲ３）を測定し、そしてそれらを位置決定エンティティ（ＰＤＥ）１１６にレポートする。このタイミング・データはつぎに、モバイルデバイス１０８の位置を計算するために使用できる。このような計算は、モバイルデバイス１０８によって得られたタイミング情報が通信リンクによってＰＤＥ１１６に送信される場合、モバイルデバイス１０８において、またはＰＤＥ１１６において行なわれうる。典型的には、受信の時間は、各基地局１０２および移動通信制御局（mobile switching center）２０８を経由してモバイルデバイス１０８からＰＤＥ１１６に通信される。
【００１６】
ＰＤＥ１１６は、基地局１０２の位置特定、基地局１０２のカバレッジ・エリア、および基地局１０２の他の該当特性を提供する基地局アルマナック（ＢＳＡ）サーバを含みうる。あるいは、ＰＤＥ１１６およびＢＳＡサーバ１１８は、互いに分離していてもよく、ＰＤＥ１１６は、位置決定のための基地局情報を得るために基地局１０２と通信する。
【００１７】
すべての基地局１０２は、同じパイロット波形を有し、そしてパイロット信号のＰＮ位相オフセットによって互いに識別される。いくつかのシステムでは、６４チップの倍数で局に通常割り当てられ、総計５１２の可能な割り当てを与える。パイロット・オフセットは、パイロット位相割り当てを識別する数である。異なる基地局は、異なるパイロットＰＮ位相オフセットによって識別される。従来の通信システム２００では、擬似パイロット信号を生成する機能の無いリピータ１０４（図１）のようなリピータが利用されていることに注目されたい。
【００１８】
図１を再び参照すると、通信シシテム１００は、図２における通信システム２００と同様の態様で動作するが、通信システム１００は、モバイルデバイス１０８および／またはリピータ１０４が十分な数の物理的基地局１０２、１１４Ａ−Ｃからの通信信号を検知する位置にいない場合でさえ、モバイルデバイス１０８の位置を決定するための付加的な機能を提供する。
【００１９】
図１では、リピータ１０４は、基地局１０２のカバレッジを改善し、それによって通話切れ率を低下させかつ音声品質を改善するために使用されうる。リピータ１０４は、基地局１０２のカバレッジを拡張するためにも使用されうる。特に、リピータ１０４は、基地局１０２からの比較的弱い信号が、基地局からの信号を受信するのが困難な建物１１０または他の場におけるモバイルデバイス１０８によって他の方法では受信できない場合に、建物１１０内にカバレッジを提供するために使用されうる。
【００２０】
リピータ１０４は、１つまたは複数の基地局１０２およびモバイルデバイス１０８と通信するためにアンテナと順方向および逆方向経路増幅器およびフィルタで構成される。モバイルデバイス１０８は、プロセッサ、メモリ、およびリピータ１０４およびＰＤＥ１１６を含む通信ネットワーク１００内のコンポーネントとの通信に対して適切な信号を送受信できるトランシーバ（送信器／受信器）を含む。
【００２１】
本発明の１つの新規な態様は、非物理的基地局１１２Ａ−１１２Ｅ（総体として「１１２」）を識別するＰＮ位相オフセットでパイロット信号を定義することに関する。非物理的基地局１１２は物理的には存在しないが、非物理的基地局１１２からリピータ１０４またはリピータ１０４によってサービス（served）されている建物１１０または他の場の位置のような他の位置までの距離に関する固有のＰＮ位相オフセットを割り当てられる。非物理的基地局１１２に関する情報は、ＢＳＡサーバ１１８または他の適当な場所に格納されうる。ある態様では、ＢＳＡ１１８は、物理的基地局１０２、１１４Ａ−１１４Ｃ（集合的に「１１４」）に対するＰＮ位相オフセットに加えて、非物理的基地局１１２に対する固有のＰＮ位相オフセットをもって構成される。
【００２２】
モバイルデバイス１０８は、物理的基地局１０２、１１４と非物理的基地局１１２とを区別しない。したがって、モバイルデバイス１０８は、リピータ１０４および／またはモバイルデバイス１０８の受信範囲外のリピータ１０４、非物理的基地局１１２からの、ならびにリピータ１０４および／またはモバイルデバイス１０８の受信範囲内の物理的基地局１０２からの異なるパイロット位相信号の受信のＰＮ位相オフセット時間を測定し、そしてそれらを位置決定エンティティ（ＰＤＥ）１１６にレポートする。そのタイミング・データは、ＢＳＡサーバ１１８に含まれた基地局位置情報と一緒に、モバイルデバイス１０８の位置を計算するためにその後に使用されうる。物理的基地局１０２、１１４および／または非物理的基地局１１２に対するＰＮ位相オフセットおよび対応する位置情報がモバイルデバイス１０８に対して利用可能である場合には、モバイル装置１０８の位置を決定するためには、モバイルデバイス１０８それ自体のようなＰＤＥ１１６以外の他の適当なデバイスが使用されうることに注目されたい。
【００２３】
本発明のある態様では、ＳＰＴＣ回路１０６が、擬似基地局１１２、１１４に対応する十分な数の擬似パイロット信号を生成する。パイロット位相オフセットは、リピータ１０４によってカバレッジが提供されている建物１１０を、ＰＤＥ１１６によって決定された三辺測量解（trilateration solution）が生み出す（yields）ように調節される。生成された擬似パイロットは、基地局１０２からの通常の通信パイロットに加えられうる。その擬似パイロットは通常、ハンドオフをトリガーしない電力レベルを有する。
【００２４】
他の態様では、モバイルデバイス１０８が配置された建物レベルまたはフロアを三辺測量プロセスが決定できるようにするために、１つまたは複数の基地局１１２、１１４の位置は、建物１１０より高いまたは低い高度で定義されうる。したがって、モバイルデバイス１０８のより厳密な位置が決定されうる場合には、モバイルデバイス１０８の位置に基づいた緊急応答または情報がよりタイムリー（timely）であり、より関連性があり、かつ／またはより正確でありうる。
【００２５】
動作時には、リピータ１０４または他の適当なデバイスが、そのリピータ１０４を通る他の信号に擬似パイロットを付加する。擬似パイロット信号の１つの特性は、擬似パイロット信号の源を識別するために使用される。下記の説明は、擬似パイロット信号を識別するために使用される擬似パイロット信号の特性がＰＮ位相オフセットであるＣＤＭＡネットワークに関連して与えられる。しかし、下記の擬似パイロット信号の特性は、代替的に、ＵＭＴＳセルラー・ネットワークの場合のようなスクランブリング・コードまたはパイロッド信号が発生する基地局を識別するために使用される他の任意の信号特性であってもよい。さらに、擬似パイロット信号は、デュアルモード・モバイルデバイス１０８に対して使用されうる。デュアルモード・モバイルデバイス１０８は、音声およびデータ通信のためのセルラーおよびノンセルラー・ラジオの両方を含む。あるタイプのデュアルモード電話は、ＧＳＭ／ＣＤＭＡ／Ｗ−ＣＤＭＡ技術ならびにＩＥＥＥ８０２．１１（Ｗｉ−Ｆｉ（登録商標））ラジオまたはDECT（登録商標）（Digital Enhanced Cordless Telecommunications）ラジオのような他の技術で動作するセルラー・ラジオを使用する。これらの電話は、広域セルラー・ネットワークに接続された場合には、セルラー電話として使用できる。適当なＷｉＦｉまたはＤＥＣＴ（登録商標）ネットワークの範囲内にある場合には、その電話は、すべての通信目的のためのＷｉＦｉ（登録商標）／ＤＥＣＴ（登録商標）電話として使用できる。したがって、ＷｉＦｉ（登録商標）またはＤＥＣＴ（登録商標）モードで動作している場合でも、デュアルモード・モバイルデバイス１０８のＣＤＭＡ部分は、パイロット測定レポートを生成することができる。そのレポートは、ＷｉＦｉ（登録商標）またはＤＥＣＴ（登録商標）データ通話によってＰＤＥ１１６に送信されうる。
【００２６】
あるインプリメンテーションでは、モバイルデバイス１０８に送信される合成信号を形成するために、擬似パイロット信号を生成しかつその擬似パイロット信号を基地局からの通信信号と結合することが少なくとも可能なパイロット生成モジュールが、リピータ１０４に代えて使用されうる。
【００２７】
図１に示されているように、基地局１０２は、アンテナ１２０、１２２によってリピータ１０４と通信する。リピータ１０４は、ＳＰＴＣ回路１０６に加えて、第１の増幅器１２４、可変利得増幅器１２６、加算回路１３０、第３の増幅器１３２、結合器１３４を含んでいる。アンテナ１２２によって受信された信号は、第１の増幅器１２４に入力される。ここで特定された増幅器の数およびタイプは、リピータの回路を例示する目的のためだけにそのように特定されていることに注目されたい。したがって、リピータ１０４では、それより多いまたは少ない増幅が使用されうる。さらに、リピータ１０４内における増幅器の配置は、リピータ１０４の１つのインプリメンテーションの例を提供する目的のためだけに示されている。したがって、増幅段は、適切な雑音指数および利得条件を実現するために所望されるようにリピータ回路内の任意の位置に配置されうる。
【００２８】
図１に示された例では、第１の増幅器１２４の出力は、可変利得増幅器１２６に入力される。可変利得増幅器１２６の利得は、結合器１３４からの出力によって提供されるフィードバックに応答してＳＰＴＣ回路１０６によって制御される。しかし、リピータ１０４のあるインプリメンテーションは可変利得増幅器１２６を含まなくてもよく、他の増幅器１２４、１３２が使用される場合には、固定利得でもよい。
【００２９】
可変利得増幅器１２６の出力は、加算回路１３０に入力される。加算回路１３０への第２の入力は、ＳＰＴＣ回路１０６によって生成された擬似パイロット信号である。擬似パイロットは、すべてが同じ信号強度を有する必要はなく、また中継されているパイロット信号より低い信号強度を有することは必ずしも必要ではない。さらに、擬似パイロット信号についての情報がここで提供される。
【００３０】
加算回路１３０の出力は、加算回路１３０への２つの入力において提供される２つの信号の合成を含む。この合成信号は、第３の増幅器１３２の入力に結合される。第３の増幅器１３２の出力は、結合器１３４に入力される。結合器１３４は、合成信号の一部分をＳＰＴＣ回路に供給し、そしてその合成信号の他の部分を、モバイル・セルラー電話またはラップトップコンピュータのようなモバイルデバイス１０８への送信のために、アンテナ１３６に供給する。合成信号の両方の部分は同じコンテンツを有するが、電力レベルは変化してもよいことが注目されるべきである。したがって、モバイルデバイス１０８は、基地局１０２によって最初に送信される信号とリピータ１０４内のＳＰＴＣ回路１０６によって生成された擬似パイロット信号との両方を含む合成信号を受信する。
【００３１】
ＳＰＴＣ回路１０６は、モバイルデバイス１０８への順方向リンク上でリピータ１０４によって送信されている出力信号の利得を制御する機能を実行する。その利得は、所望の出力レベルに対応する利得係数を可変利得増幅器１２６に設定しかつ結合器１３４からのＳＰＴＣ回路１０６への入力が常に所望の電力範囲内にあるようにすることによって、制御される。電力レベルが所望のレベルより低い場合には、ＳＰＴＣ回路１０６は、利得を増加させ、それによって結合器１３４からの出力を増大させるように、可変利得増幅器１２６に指令することができる。逆に、結合器出力からの電力レベルが高すぎる場合には、ＳＰＴＣ回路１０６は、可変利得増幅器１２６にそれの利得を低下させ、結合器１３４によってアンテナ１３６とＳＰＴＣ回路１０６との両方に出力されている信号の電力を減少させるように指令するであろう。
【００３２】
可変利得増幅器１２６の利得を制御することは、リピータ１０４によって受信された基地局１０２からの信号に対する擬似パイロット信号の相対利得を設定するためにも使用されうることが注目されるべきである。
【００３３】
ＳＰＴＣ回路１０６の他の機能は、複数の擬似パイロット信号を生成することである。「擬似パイロット信号」という用語は、１）基地局１０２によって送信される順方向リンク信号と加算される、および２）基地局１０２を識別する信号を生成するために使用されるのと同じ技術を用いて生成される任意の信号を意味するためにここでは使用されることが当業者によって注目されるであろう。さらに、ＳＰＴＣ回路１０６によって生成された擬似パイロット信号は、送信がリピータ１０４によって送信された信号を受信するモバイルデバイス１０８によって受信されうるローカルエリア内の基地局１０２によって生成されるすべてのパイロット信号とは異なる（unique）ことが好ましい。しかし、１つのインプリメンテーションによれば、通信システム１００内の異なるリピータ１０４が、特定の擬似基地局１１２、１１４を識別するオフセッツを有する擬似パイロット信号を生成するであろう。擬似基地局１１２、１１４の位置は、建物１１０内のリピータ１０４の位置を決定するために、三辺測量技術が使用されうるように通常選択される。少なくとも１つの擬似基地局１１２、１１４の位置が建物１１０の頂部またはその上方で定義される他のインプリメンテーションでは、モバイルデバイス１０８の位置に対応した建物１１０内のフロアを決定するために、第４のパイロット信号が使用されうる。
【００３４】
リピータ１０４が基地局１０２から１つまたは複数の信号を受信している場合には、リピータ１０４は、三辺測量のための十分な数のパイロト信号を供給するために必要とされるのと同じくらい多くの付加的な擬似パイロット信号だけを生成するように構成されうることに注目されたい。例えば、リピータ１０４が１つの基地局１０２から信号を受信している場合には、モバイルデバイス１０８の緯度および経度ならびに高さが決定されつつあるか否かに応じて、２つまたは３つの擬似パイロット信号を提供できる。
【００３５】
擬似パイロット信号を生成することに加えて、ＳＰＴＣ回路１０６は、アンテナ１２２を介してリピータによって受信された反復信号（repeated signal）と擬似パイロット信号との間の適切な電力関係を決定する。いくつかのリピータ１０４は、複数の基地局１０２から信号を受信するであろうことにも注目されるべきである。したがって、各基地局１０２、１１４、非物理的基地局１１２、およびリピータ１０４間の距離は、固定されておりかつリピータ１０４の位置の関数であろう。したがって、信号がモバイルデバイス１０８によって受信されかつ測定値がＰＤＥ１１６に送信される場合には、リピータ１０４の位置は、各基地局１０２、１１４および非物理的基地局１１２に関連した測定値に基づいて決定されうる。ＳＴＰＣによって生成された擬似パイロットは、三辺測量解が建物１１０または他の場内の特定の位置となすように調節されうることにも注目されたい。
【００３６】
リピータ１０４によりアンテナ１３６を通じて送信された信号は、モバイルデバイス１０８によって受信される。いったん受信されると、モバイルデバイス１０８は、ＳＰＴＣ回路１０６によって生成された擬似パイロット信号を含む、受信されたパイロット信号を識別することによって従来の態様で動作する。モバイルデバイス１０８は、受信された制御およびパイロット信号のすべておよびそれらの各信号強度をレポートする。現在開示された方法および装置の１つのインプリメンテーションによれば、そのレポートは、例えば、ＣＤＭＡセルラー・ネットワーク内のモバイルデバイスおよびＰＤＥ間の通信を規制するＴＩＡ規格ＩＳ−８０１に定義されているように、従来のパイロット信号強度レポートで基地局１０２を経由してＰＤＥ１１６に送信される。
【００３７】
図３Ａを参照すると、建物１０内の分散アンテナ・システム（ＤＡＳ）３０２に結合されたリピート１０４を含む通信システム３００が示されている。ＤＡＳ３０２は、建物１１０の異なるフロアまたはレベル（例えば、Ｌ１−Ｌ５として示されている）に配置された複数のアンテナ・ノード３０４を含む。アンテナ・ノード３０４は、建物１１０の各部分内で無線サービスを提供する搬送媒体を介してリピータ１０４から共通のソースに接続される。図示された実施の形態では、各アンテナ・ノード３０４は、建物１１０のフロアに対するカバレッジを提供するが、アンテナ・ノード３０４のカバレッジは、建物３０４の異なる水平および／または垂直のセクタをカバーするように構成されうる。ＤＡＳ３０２は、単一のアンテナと同じ領域にわたるが減少された総電力および改善された信頼性を有するカバレッジを提供するように空間的に分離されたアンテナ要素３０４間で、リピータ１０４によって送信された信号の電力を分割するてまに通常設置される。大電力で放射するリピータ１０４における単一のアンテナが、同じ領域をカバーするための１つのグループの低電力アンテナ３０４によって置換される。
【００３８】
ＤＡＳ３０２は、レベル、フロア、セクタ、または対応するアンテナ・ノードの位置に基づいた他の関連情報を含むようにパイロット信号を修正するパイロット修正モジュール３０６でインプリメントされうる。例えば、建物１１０のレベル３では、パイロット修正モジュール３０６Ａ−３０６Ｅ（全体として「３０６」）は、リピータ１０４からのパイロット信号を受信し、そのパイロット信号が建物１１のレベル３（Ｌ３）で放送されていることを示す情報を含むようにパイロット信号を修正し、そして対応するカバレッジ・エリア内でその修正されたパイロット信号を放送するように構成されうる。建物１１０のレベル３上のモバイルデバイス１０８は、Ｌ３修正モジュール３０６ｃから修正されたパイロット信号を受信し、そしてＩＳ−８０１パイロットレポートまたは他の適当な測定レポートに修正されたパイロット信号を含む。ＰＤＥ１１６（図１）は、修正されたパイロット信号を建物１１０のレベルＬ３に相関づける。したがって、ＰＤＥ１１６は、建物１１０、特にレベルＬ３上の各アンテナ・ノード３０４によってカバーされた領域内のモバイルデバイス１０８に対してより正確な位置を決定することができる。ＤＡＳ３０２およびパイロット修正モジュール３０６を使用して建物１１０内のモバイルデバイスのより正確な位置を決定する能力は、ここでさらに記述されるように、擬似基地局１１２、１１４のうちの１つがモバイルデバイス１０８よりも高度が高いまたは低い４つの擬似基地局１１２、１１４に対応するパイロット信号を使用してモバイルデバイス１０８の垂直位置を決定する能力に加えてまたはそれに代えて利用されうることに注目されたい。
【００３９】
図３Ｂを参照すると、パイロット生成モジュール３１６Ａ−３１６Ｅ（全体として「３１６」）に結合されたフェムト無線基地局（ＲＢＳ）３１２を含む通信システムの他の実施の形態が示されている。ここで使用されているように、フェムトＲＢＳ３１２はまた、建物１１０のようなフェムト・セル（またはピコ・セルあるいはミクロ・セル）にサーブ（serves）するピコ無線基地局またはミクロ無線基地局の意味をも有する。モバイルデバイス１０８は、無線またはエア・インタフェースによってフェムトＲＢＳ３１２と通信する。ピコおよびフェムト・セル・システムは、非常に低い出力電力、制限された容量を有する個々のラジオであり、アパートや家屋のような小さいスペースに対して設計され、ピコ・セルは、例えば、３００００平方フィートまでの建物のような大きい建物を有する企業を通常カバーできる。フェムトＲＢＳ３１２は、Ｗｉ−Ｆｉ（登録商標）アクセスポイントのように機能し、バックホール・サポートのためのＩＰネットワークに接続できる。フェムトＲＢＳ３１２は、各フェムト／ピコ・セルへの、建物内ネットワークからより広いキャリア・ネットワークまでのトラヒックのフローを管理するてまに基地局コントローラ（図示せず）を使用する。
【００４０】
パイロット生成モジュール３１６は、建物１１０の異なるフロアまたはレベル（例えば、Ｌ１−Ｌ５として示されている）に配置される。アンテナ・ノード３０４は、建物１１０の各部分内で無線サービスを提供するサポート媒体によってフェムトＲＢＳ３１２から共通のソースに接続される。図示された実施の形態では、各アンテナ・ノード３０４は、建物１１０のフロアに対するカバレッジを提供するが、アンテナ・ノード３０４のカバレジは建物１１０の異なる水平方向および／または垂直方向のセクタをカバーするように構成されうる。
【００４１】
パイロット生成モジュール３１６は、レベル、フロア、セクタ、または対応するアンテナ・ノード３０４の位置に基づいた他の関連情報のような情報を含む擬似パイロット信号を生成する。例えば、建物１１０のレベル３上では、パイロット生成モジュール３１６ｃは、パイロット信号が建物のレベル３（Ｌ３）上で放送されていることを示す情報を含むパイロット信号を生成し、そして対応するカバレッジ・エリア内でそのパイロット信号を放送するように構成されうる。建物１１０のレベル３上のモバイルデバイス１０８は、Ｌ３修正モジュール３１６ｃからのパイロット信号を受信し、そしてそのパイロット信号をＩＳ−８０１パイロットレポートに含める。ＰＤＥ１１６（図１）は、パイロット信号を建物１１０のレベルＬ３に相関づける。したがって、ＰＤＥ１１６は、建物１１０、特に、各レベルＬ１−Ｌ５上の各アンテナ・ノードによってカバーされる領域内のモバイルデバイス１０８に対してより正確な位置を決定することができる。
【００４２】
図３Ｃを参照すると、パイロット生成モジュール３１６Ａ−３１６Ｅ（全体として「３１６」）に結合された基地局３２２を含む通信システム３２０の他の実施の形態が示されている。モバイルデバイス１０８は、無線またはエア・インタフェースによって基地局３２２と通信する。基地局３２２は、無線ローカルエリア・ネットワーク・アクセスポイントを提供する。
【００４３】
パイロット生成モジュール３１６は、建物１１０の異なるフロアまたはレベル（例えば、Ｌ１−Ｌ５として示されている）に配置されている。アンテナ・ノード３０４は、建物１１０の各部分内に無線サービスを提供するサポート媒体によって基地局３２２から共通のソースに接続される。図示された実施の形態では、各アンテナ・ノード３０４は、建物１１０の１つのフロアに対するカバレッジを提供するが、アンテナ・ノード３０４のカバレッジは、建物１１０の異なる水平方向および／または垂直方向のセクタをカバーするように構成されうる。
【００４４】
パイロット生成モジュール３１６は、レベル、フロア、セクタ、または対応するアンテナ・ノード３０４の位置に基づいた他の関連情報のような情報を含む擬似パイロット信号を生成する。例えば、建物１１０のレベル３上では、パイロット生成モジュール３１６Ｃは、パイロット信号が建物１１０のレベル３（Ｌ３）上で放送されていることを示す情報を含むパイロット信号を生成し、そして対応するカバレッジ・エリア内でそのパイロット信号を放送するように構成されうる。建物１１０のレベル３上のモバイルデバイス１０８は、Ｌ３修正モジュール３１６Ｃからのパイロット信号を受信し、そしてそのパイロット信号をＩＳ−８０１パイロットレポートに含める。ＰＤＥ１１６（図１）は、パイロット信号を建物１１０のレベルＬ３に相関づける。したがって、ＰＤＥ１１６は、建物１１０、特に、各レベルＬ１−Ｌ５上の各アンテナ・ノード３０４によってカバーされるエリア内のモバイルデバイス１０８に対してより正確な位置を決定することができる。
【００４５】
図４を参照すると、モバイルデバイスの位置を決定するためのプロセス４００の流れ図が示されている。プロセス４００は、基地局および衛星測位システムからの信号が受信困難な位置において特に有用である。ある場合には、１つまたは複数の基地局のカバレッジを拡張するために、リピータが使用される。例えば、１つまたは複数のリピータが、混雑したエリア内に配置された建物内に設置されうる。他の建物または環境的要因が、建物の少なくとも１つまたは複数の部分にける信号を、阻止したり、歪ませたり、あるいは弱めたりする可能性がある。リピータは、基地局と通信するために、例えば建物や他の場の頂部に配置されるアンテナから信号を受信し、そして建物または他の場内でその信号を再放送するように結合されうる。他のインプリメンテーションでは、フェムト無線基地局または他の適当な基地局が、モバイルデバイスにカバレッジを与えて、リピータの必要性を排除するために建物または他の場に含まれうる。
【００４６】
プロセス４０２は、擬似基地局の「位置」（"locations）を決定することを含む。ある態様では、擬似基地局は、実際には存在しないが、それらは、ＰＮ位相オフセットおよび対応する位置情報を割り当てられる。その位置は、混雑したエリア内の大きな建物や信号を歪ませたり弱めたりする材料で製造された建物のように、モバイルデバイスが実際の基地局から信号を受信するのが困難な場合に使用されるリピータに関して定義されうる。
【００４７】
他の態様では、プロセス４０２は、リピータとまたはそのリピータの近傍におけるモバイルデバイスと通信状態にない物理的基地局１１４（図１）に対応するＰＮ位相オフセットのいくらかまたはすべてを選択できる。基地局１１４の位置は、ＰＤＥ１１６によって知られる。したがって、三辺測量解がモバイルデバイスの位置を示すように、正しいＰＮ位相オフセットが生成される。基地局１１４に対応したＰＮ位相オフセットを有するパイロット信号を使用する技法は、非物理的基地局１１２からの擬似パイロット信号を使用することに類似しているが、ＰＤＥ１１６が基地局１１４の位置を既に知っておりかつモバイルデバイスは近隣の基地局を既に探索しているであろうから、インプリメントするのが容易となりうる。
【００４８】
プロセス４０４は、ＰＮ位相オフセットおよび位置情報のような情報を、他の基地局に対する同様の情報が格納されうるアルマナック（almanac）に付加することを含む。そのアルマナックは、位置決定装置（ＰＤＥ）とともに位置特定され、かつモバイルデバイスの位置を決定するための三辺測量プロセス時にアクセスされうる。
【００４９】
プロセス４０６は、十分な数の擬似パイロット信号を生成することを含む。それらの擬似パイロット信号は、擬似基地局のうちの１つおよび所望のＡＦＬＴ位置に対応する経路長に対応するＰＮ位相オフセットを含むように生成される。通常、３つのパイロット信号が生成され、そしてモバイルデバイスに放送される。他のインプリメンテーションでは、４つの擬似パイロット信号が生成されかつそれらの擬似パイロット信号の１つがモバイルデバイスの位置より上または下における擬似基地局に対応するときに、モバイルデバイスの高さが決定される。プロセス４０６は、他の適当な数のパイロット信号を生成しうることに注目されたい。
【００５０】
プロセス４０８は、基地局からの通信信号を、プロセス４０６において生成された擬似パイロット信号で増強することを含む。擬似パイロット信号の電力レベルは、擬似パイロット信号によって表される基地局へのハンドオフをトリガーするのを回避するのに十分なだけ低い。
【００５１】
プロセス４１０は、擬似パイロット信号で増強された基地局信号で構成された信号をモバイルデバイスに送信することを含む。プロセス４１２において、モバイルデバイスが合成信号を受信すると、そのモバイルデバイスは、プロセス４１４において、基地局／擬似基地局に対する位相測定を行ない、そしてそれらを基地局にレポートする。その基地局は、そのレポートを位置決定装置に送信して、三辺測量のために必要とされる測定値を供給する。あるインプリメンテーションでは、レポートをモバイルデバイスから基地局を経由して位置決定装置に送信するために、既知のＩＳ−８０１または他の適当なプロトコルが使用される。
【００５２】
プロセス４１６は、擬似パイロット信号によって示された建物または他の場の位置を決定することを含む。モバイルデバイスより上（または下）に配置された擬似基地局に対応する第４の擬似パイロット信号が生成されるインプリメンテーションでは、モバイルデバイスの高さは、物理的位置とともに決定されうる。その高さは、モバイルデバイスの位置をさらに狭めるために、建物内のフロアまたは他のセクタにさらに変換されうる。
【００５３】
図５を参照すると、分散アンテナ・システム（ＤＡＳ）３０２(図３Ａ)を使用してモバイルデバイスの位置を決定するための他のプロセス５００の流れ図が示されている。プロセス５０２は、擬似基地局の「位置」（"locations"）を決定することを含む。いくつかの態様では、擬似基地局は実際には存在しないが、それらは、ＰＮ位相オフセットおよび対応する位置情報を割り当てられる。混雑したエリア内の大きな建物や信号を歪ませたり弱めたりする材料で作製された建物のような、モバイルデバイスが実際の基地局からの信号を受信するのが困難な位置が定義されうる。
【００５４】
他の態様では、プロセス５０２は、リピータとまたはモバイルデバイスと通信していない物理的基地局１１４（図１）に対応するＰＮ位相オフセットのいくつかまたは全部を選択することができる。したがって、三辺測量解がモバイルデバイスが動作しているエリアを示すように、パイロット生成モジュールによって、正しいＰＮ位相オフセットが合成されうる。基地局１１４に対応したＰＮ位相オフセットを有するパイロット信号を使用する技法は、非物理的基地局１１２からの擬似パイロット信号を使用するのと同様であるが、ＰＤＥ１１６が基地局のバイ所を既に知っておりかつモビアルデバイスｈ近隣の基地局を既に探索しているであろうから、インプリメントするのがより容易でありうる。
【００５５】
プロセス５０４は、ＰＮ位相オフセットおよび位置情報のような上方を、他の基地局に対する同様の上方が格納されうるアルマナック（almanac）に付加することを含む。そのアルマナックは、位置決定装置（ＰＤＥ）とともに位置特定され、かつモバイルデバイスがそれから信号を受信しているリピータの位置を決定するための三辺測量プロセス時にアクセスされうる。
【００５６】
プロセス５０６は、擬似パイロット信号を生成することを含む。擬似パイロット信号は、擬似基地局のうちの１つに対応するＰＮ位相オフセットを含む。通常は、３つの擬似パイロット信号が生成されるが、モバイルデバイスの高さを決定するためには、４つの擬似信号が生成されうる。他の適当な数の擬似パイロット信号が使用されうる。あるインプリメンテーションでは、１つまたは複数の擬似パイロット信号が、モバイルデバイスおよびリピータの受信範囲外にある物理的基地局に対応しうる。プロセス５０８は、基地局からの信号を、プロセス５０６において生成された擬似パイロット信号で増強すること（augmenting）を含む。その擬似パイロット信号の電力レベルは、他の基地局へのハンドオフをトリガーするのを回避するのに十分低い。
【００５７】
プロセス５１０は、擬似パイロット信号で増強された基地局信号で構成された信号を、建物または他の場における分散アンテナ・システムに関連したアンテナ・ノードに送信することを含む。プロセス５１２は、アンテナ・ノードの位置を含むように、リピータからの擬似パイロット信号を修正することを含む。そのアンテナ・ノードの位置は、各アンテナ・ノードに対するカバレッジがどのように構成されているかに応じて、建物または他の場のフロアまたは他のセグメントに対応しうる。修正されたパイロット信号が次にアンテナ・ノードによって放送されうる。
【００５８】
プロセス５１４は、修正された擬似パイロット信号をモバイルデバイスにおいて受信することを含む。モバイルデバイスは、プロセス５１６において、基地局／擬似基地局に対するパイロット位相測定を行ない、そしてレポートを生成する。プロセス５１８では、三辺測量のために必要とされる測定値を供給するために、レポートを位置決定装置に送信する。あるインプリメンテーションでは、レポートをモバイルデバイスから基地局を経由して位置決定装置に送信するために、ＩＳ−８０１または他の適当なプロトコルが使用される。
【００５９】
プロセス５２０は、修正された擬似パイロット信号によって表示された建物または他の場の位置を決定することを含む。ＰＤＥは、モバイルデバイスによって受信された信号を放送するアンテナに特有の上方をデコードするように構成されうる。アンテナ・ノード情報は、モバイルデバイスの位置をさらに狭めるために、建物内のフロアまたは他のセクタに変換されうる。
【００６０】
あるインプリメンテーションでは、建物または他の場、建物内のリピータと通信している基地局および／または擬似基地局に対するＰＮ位相オフセットおよび位置情報のようなアルマナック情報に対するアクセスを有する。したがって、モバイルデバイスは、位置決定エンティティに情報を送信しないでアルマナック内の情報を使用して、モバイルデバイスの位置を決定できる。
【００６１】
当業者は、種々の異なる技術および技法のうちの任意のものを使用して情報および信号が表示されうることを理解するであろう。例えば、データ、情報、信号、ビット、シンボル、チップ、命令、および指令が、上記の記述全体にわたって参照されうる。これらは、電圧、電流、電磁波、磁界または粒子、光場または粒子、あるいはそれらの任意の組合せによって表示されうる。
【００６２】
１つまたは複数の例示的な実施形態では、上記の機能およびプロセスは、ハードウェア、ソフトウェア、ファームウェア、あるいはそれらの任意の組合せでインプリメントされうる。ソフトウェアでインプリメントされた場合には、それらの機能は、コンピュータ読取り可能媒体上に格納され、あるいはコンピュータ読取り可能媒体上で１つまたは複数の命令またはコードとして伝送されうる。コンピュータ読取り可能媒体は、コンピュータ記憶媒体および１つの場所から他の場所へのコンピュータ・プログラムの転送を促進する任意の媒体を含む通信媒体の両方を含む。記憶媒体は、コンピュータによってアクセスできる任意の利用可能な媒体でありうる。例示としてであって、限定としてではなく、このようなコンピュータ読取り可能媒体は、ＲＡＭ、ＲＯＭ、ＥＥＰＲＯＭ、ＣＤ−ＲＯＭまたは他の光ディスク記憶装置、磁気ディスク記憶装置、または命令またはデータ構造の形式で所望のプログラム・コードを搬送または記憶するために使用できかつコンピュータによってアクセスできる任意の他の媒体を含むことができる。また、任意の接続が、コンピュータ読取り可能媒体と適切に呼ばれる。例えば、プログラム・コードが、同軸ケーブル、光ファイバ・ケーブル、ツイスト・ペア、デジタル加入者線（ＤＳＬ）、または赤外線、無線、およびマイクロ波のような無線技術を使用して、ウエブサイト、サーバ、または他の遠隔ソースから伝送される場合には、同軸ケーブル、光ファイバ・ケーブル、ツイスト・ペア、ＤＳＬ、または赤外線、無線、およびマイクロ波のような無線技術は、媒体の定義に含まれる。ここで使用されているディスク（disk）およびディスク（disc）は、コンパクトディスク（ＣＤ）、レーザディスク、光ディスク、デジタル・バーサタイル・ディスク（ＤＶＤ）、フロッピー（登録商標）ディスク、およびブルーレイ（登録商標）ディスクを含み、ここにおいて、ディスク（disks）は通常データを磁気的に再生するものであり、他方、ディスク（discs）はデータをレーザで光学的に再生するものである。上記のものの組合せも、コンピュータ読取り可能媒体の範囲内に含められるべきである。
【００６３】
ファームウェアおよび／またはソフトウェア・インプリメンテーションの場合には、方法は、ここに記述された機能を実行するモジュール（例えば、手順、機能、等）でインプリメントされうる。ここに記述された方法をインプリメントするには、命令を具体的に具現する任意の機械読取り可能媒体が使用されうる。例えば、ソフトウェア・コードがメモリ、例えばモバイルデバイスのメモリに記憶され、そしてプロセッサ、例えばモデムのマイクロプロセッサによって実行されうる。メモリは、プロセッサ内またはプロセッサ外でインプリメントされうる。ここで使用されている「メモリ」という用語は、長期、短期、揮発性、不揮発性の任意のタイプまたは他のメモリを指し、メモリの特定のタイプまたはメモリの数、あるいはメモリが格納される媒体のタイプに限定されるものではない。
【００６４】
さらに、開示されたインプリメンテーションの前記の記述は、当業者が本発明を実施または使用できるようにするために提供されている。これらのインプリメンテーションに対する種々の修正が当業者には容易に明白となるであろうし、また、ここに定義された一般的な原理は、本発明の精神または範囲から逸脱することなしに、他のインプリメンテーションにも適用されうる。したがって、本発明は、ここに示された特徴に限定されるものではなく、ここに開示された原理および新規な特徴に合致した最も広い範囲を与えられるべきである。
下記に本願時の請求項１−２６に対応した記載を付記１−２６として表記する。
付記１
擬似基地局に対応したＰＮ位相オフセットを含む擬似パイロット信号を生成すること、前記擬似基地局は、（１）複数の非物理的基地局、および（２）リピータおよび前記リピータの近傍における無線モバイルデバイスの受信範囲外の物理的基地局よりなるグループ内の少なくとも１つである；
前記擬似パイロット信号を前記リピータの受信範囲内にある物理的基地局からの通信信号と結合し、合成信号を形成すること；および
前記無線モバイルデバイスによる受信のために前記合成信号を送信すること、
を具備する方法。
付記２
前記擬似基地局へのハンドオフをトリガーすることを回避するために、前記物理的基地局から受信された通信信号に対して前記擬似パイロット信号の相対電力を調節することをさらに具備する付記１の方法。
付記３
前記擬似基地局に対するＰＮ位相オフセットおよび位置情報を、自動化された位置決定エンティティによりアクセス可能なアルマナックに付加することをさらに具備する付記１の方法。
付記４
前記擬似パイロット信号は、十分な数の異なる擬似基地局に対応し、かつ前記ＰＮ位相オフセットは、前記モバイルデバイスの位置を決定するための三辺測量プロセスにおいて利用される付記１の方法。
付記５
前記擬似パイロット信号は、十分な数の異なる擬似基地局に対応する、そして、前記擬似パイロット信号のうちの１つは、前記モバイルデバイスの位置より上のまたは下の擬似基地局に対応する、前記方法は、前記モバイルデバイスの高さを決定することをさらに具備する付記１の方法。
付記６
前記擬似パイロット信号は、前記リピータによって生成される付記１の方法。
付記７
前記擬似パイロット信号は、前記通信信号と結合される付記１の方法。
付記８
前記合成信号に基づいて測定値のレポートを生成すること；および
前記ＰＮ位相オフセットに基づいて前記モバイルデバイスの位置を決定すること、をさらに具備する付記１の方法。
付記９
前記レポートは、位置決定エンティティにおいて受信され、そして前記モバイルデバイスの位置は、前記位置決定エンティティによって決定される付記８の方法。
付記１０
前記合成信号を、分散アンテナ・システムと関連したアンテナ・ノードに送信すること；
前記合成信号を受信するアンテナ・ノードを識別するために前記合成信号を修正すること；および
修正された合成信号を前記モバイルデバイスに送信すること、をさらに具備する付記１の方法。
付記１１
前記モバイルデバイスのより特定の位置を前記修正された合成信号に基づいて決定することをさらに具備する付記１０の方法。
付記１２
建物または他の場内のモバイルデバイスと通信するように構成されたパイロット生成回路を具備しており、
前記パイロット生成回路は、既知のＰＮ位相オフセットを有する擬似パイロット信号を生成しかつ前記擬似パイロット信号を前記モバイルデバイスに送信するように動作可能であり、ここにおいて、前記擬似パイロット信号は、（１）非物理的基地局、および（２）前記モバイルデバイスの動作近傍の外における物理的基地局よりなるグループ内の少なくとも１つである各擬似基地局に対応する、システム。
付記１３
前記擬似基地局のうちの１つの位置は、モバイルデバイスが配置されている建物レベルを三辺測量プロセスが決定できるようにするために前記建物より上または下に定義されることをさらに具備する付記１２のシステム。
付記１４
前記パイロット生成回路と通信しかつ建物の全体に分散された複数のアンテナ・ノードを含む分散アンテナ・システムをさらに具備し、
前記分散アンテナ・システムは、
前記擬似パイロット信号を受信しているアンテナ・ノードを識別するために、前記擬似パイロット信号を修正し、
そして修正された擬似パイロット信号を前記アンテナ・ノードから前記モバイルデバイスに送信するように動作可能な修正回路をさらに含む付記１３のシステム。
付記１５
前記擬似パイロット信号を物理的基地局から受信された信号と結合して合成信号を生成するように動作可能な加算回路をさらに具備する付記１３のシステム。
付記１６
前記合成信号を前記モバイルデバイスに送信するように結合されたアンテナをさらに具備する付記１３のシステム。
付記１７
複数の異なる擬似基地局に対応したＰＮ位相オフセットを有する擬似パイロット信号を生成すること、前記擬似基地局の位置は、前記擬似パイロット信号を受信する無線マオバイルデバイスの位置を決定するために三辺測量技法を使用できるように選択される、前記擬似基地局は、（１）複数の非物理的基地局、および（２）前記モバイルデバイスの受信範囲外の物理的基地局よりなるグループ内の少なくとも１つである；
前記擬似パイロット信号を物理的基地局からの通信信号と結合して一連の合成信号を形成すること、および
前記無線モバイルデバイスへの送信のために前記合成信号を出力すること、
を少なくとも１つのコンピュータに行なわせるように動作可能なコードを備えた有形の（tangible）コンピュータ読取り可能媒体を具備するコンピュータ・プログラム製品。
付記１８
前記合成信号を受信している分散アンテナ・システム内のアンテナ・ノードを表示するために前記合成信号を修正すること、および
前記アンテナ・ノードから前記モバイルデバイスへの送信のために前記修正された合成信号を出力すること、
をすくなくとも１つのコンピュータに行なわせるように動作可能なコードをさらに具備する付記１７のコンピュータ・プログラム製品。
付記１９
モバイルデバイスであって、
プロセッサと；
複数の擬似基地局に対応したＰＮ位相オフセットを有する一連の信号を受信すること,前記擬似基地局は、（１）複数の非物理的基地局、および（２）前記モバイルデバイスの受信範囲外の物理的基地局よりなるグループ内の少なくとも１つである；
前記ＰＮ位相オフセットに基づいて前記擬似基地局のアイデンティティおよび位置を決定すること；および
前記擬似基地局の位置に基づいて前記モバイルデバイスの位置を決定すること、を前記プロセッサに行なわせるように動作可能なコードを具備したコンピュータ読取り可能媒体と、を具備するモバイルデバイス。
付記２０
前記複数の基地局および擬似基地局に対する位置および識別子に関する情報のコンピュータ読取り可能アルマナックをさらに具備する付記１９のモバイルデバイス。
付記２１
地理的近傍における分散アンテナ・システム内のアンテナ・ノードに対応した地理的近傍における前記モバイルデバイスの正確な位置を決定することを前記プロセッサに行なわせるためのコードをさらに具備する付記１９のモバイルデバイス。
付記２２
第４の擬似基地局に対応した他のＰＮ位相オフセットに基づいて地理的近傍における前記モバイルデバイスの正確な位置を決定することを前記プロセッサに行なわせるコード、付記１９のモバイルデバイス。
付記２３
既知のＰＮ位相オフセットを有する擬似パイロット信号を生成しかつ前記擬似パイロット信号をモバイルデバイスに送信する手段を具備し、前記擬似パイロット信号は、（１）非物理的基地局、および（２）前記モバイルデバイスの動作近傍の外における物理的基地局よりなるグループ内の少なくとも１つである各擬似基地局に対応する装置。
付記２４
前記擬似基地局のうちの１つの位置は、前記モバイルデバイスが配置されている建物レベルを三辺測量プロセスが決定できるようにするために、建物より上または下に定義されることをさらに具備する付記２３の装置。
付記２５
建物の全体に分散された複数のアンテナ・ノードを含み、擬似パイロット信号を生成するための手段と通信するための分散アンテナ手段をさらに具備し、前記分散アンテナ・システムは、
前記擬似パイロット信号を受信するアンテナ・ノードを識別するために前記擬似パイロット信号を修正するための手段と、
前記修正された擬似パイロット信号を前記アンテナ・ノードから前記モバイルデバイスに送信するための手段と、を含む付記２３の装置。
付記２６
前記擬似パイロット信号を物理的基地局から受信された信号と結合し、合成信号を生成するための手段をさらに具備する付記２３の装置。
【図１】
0005628045.tif 000002
【図２】
0005628045.tif 000003
【図３Ａ】
0005628045.tif 000004
【図３Ｂ】
0005628045.tif 000005
【図３Ｃ】
0005628045.tif 000006
【図４】
0005628045.tif 000007
【図５】
0005628045.tif 000008